(57)【要約】【課題】複数の鍔付きナットを同時に仮締めすることが可能な仮締治具を提供すること。【解決手段】本開示は、鍔付きナットを供給するナット供給部１１と、複数の鍔付きナットをワークに取付けて締付けるナット締付部１２と、を備え、ナット供給部１１は、水平面に対して傾斜した傾斜板１１１と、傾斜板１１１上の位置が高い方の一端部１１１ａに設けられた供給口１１２ｈと、傾斜板１１１上の供給口１１２ｈから最も遠い他端部１１１ｂに設けられた中央整流ガイド１１３と、傾斜板１１１上の両側に設けられた２つの側面整流ガイド１１４と、２つの側面整流ガイド１１４と供給口１１２ｈとの間に設けられた２つの三角傾斜板１１５と、２つの三角傾斜板１１５と中央整流ガイド１１３との間に設けられた外方向倒し板１１６と、を有する、鍔付きナット仮締治具１０である。【選択図】図１
2019188515.tif 000002
【特許請求の範囲】
【請求項１】
鍔付きナットを供給するナット供給部と、
複数の前記鍔付きナットをワークに取付けて締付けるナット締付部と、
を備え、
前記ナット供給部は、
水平面に対して傾斜した傾斜板と、
前記傾斜板上の位置が高い方の一端部に設けられた供給口と、
前記傾斜板上の前記供給口から最も遠い他端部に設けられた中央整流ガイドと、
前記傾斜板上の両側に設けられた２つの側面整流ガイドと、
前記２つの側面整流ガイドと前記供給口との間に設けられた２つの三角傾斜板と、
前記２つの三角傾斜板と前記中央整流ガイドとの間に設けられた外方向倒し板と、
前記２つの三角傾斜板の間に設けられた傾き修正ガイドと、
前記傾き修正ガイド上に設けられた可動式押え板と、を有し、
前記ナット締付部は、
主軸に対して回転する主歯車と、
前記主軸と平行な第１軸に設けられ、前記主歯車に連動して回転する第１歯車と、
前記第１軸に設けられ、前記第１歯車に連動して回転する第１ソケットと、
前記主軸と平行な第２軸に設けられ、前記主歯車に連動して回転する第２歯車と、
前記第２軸に設けられ、前記第２歯車に連動して回転する第２ソケットと、を有する、
鍔付きナット仮締治具。
【発明の詳細な説明】
【技術分野】
【０００１】
本発明は、鍔付きナット仮締治具に関するものであり、特に、複数の鍔付きナットを同時に仮締めすることが可能な仮締治具に関する。
【背景技術】
【０００２】
複数の鍔付きでないナットを仮締めする仮締治具が知られている。このような仮締治具を使用して鍔付きナットを仮締めする場合、鍔付きナットの鍔の部分が干渉するので、鍔付きナットを仮締めすることが難しいという問題があった。
【０００３】
特許文献１には、工具本体たる本体部と、本体部に配置される複数のソケット部と、を備え、本体部に入力する回転力により、複数のソケット部を回転駆動して、複数のソケット部に係合した複数の螺合部材たるナットに同時に回転力を付与するための多軸仮締め工具であって、本体部を、リング状に形成するとともに、複数のソケット部を、本体部に沿ってリング状に配置する、ことが開示されている。特許文献１に開示された多軸仮締め工具を使用して複数の鍔付きナットを仮締めする場合、鍔付きナットの鍔の部分が相互に干渉するので、鍔付きナットを仮締めすることが難しいという問題があった。
【先行技術文献】
【特許文献】
【０００４】
【特許文献１】特開２０１３−０００８７１号公報
【発明の概要】
【発明が解決しようとする課題】
【０００５】
上記したように、複数の鍔付きナットを同時に仮締めすることが難しいという問題があった。
【０００６】
本開示は、複数の鍔付きナットを同時に仮締めすることが可能な仮締治具を提供することを目的とする。
【課題を解決するための手段】
【０００７】
本開示は、
鍔付きナットを供給するナット供給部と、
複数の前記鍔付きナットをワークに取付けて締付けるナット締付部と、
を備え、
前記ナット供給部は、
水平面に対して傾斜した傾斜板と、
前記傾斜板上の位置が高い方の一端部に設けられた供給口と、
前記傾斜板上の前記供給口から最も遠い他端部に設けられた中央整流ガイドと、
前記傾斜板上の両側に設けられた２つの側面整流ガイドと、
前記２つの側面整流ガイドと前記供給口との間に設けられた２つの三角傾斜板と、
前記２つの三角傾斜板と前記中央整流ガイドとの間に設けられた外方向倒し板と、
前記２つの三角傾斜板の間に設けられた傾き修正ガイドと、
前記傾き修正ガイド上に設けられた可動式押え板と、を有し、
前記ナット締付部は、
主軸に対して回転する主歯車と、
前記主軸と平行な第１軸に設けられ、前記主歯車に連動して回転する第１歯車と、
前記第１軸に設けられ、前記第１歯車に連動して回転する第１ソケットと、
前記主軸と平行な第２軸に設けられ、前記主歯車に連動して回転する第２歯車と、
前記第２軸に設けられ、前記第２歯車に連動して回転する第２ソケットと、を有する、
鍔付きナット仮締治具である。
このような仮締治具によれば、複数の鍔付きナットを同時に仮締めすることができる。
【発明の効果】
【０００８】
本発明によれば、複数の鍔付きナットを同時に仮締めすることが可能な仮締治具を提供することができる。
【図面の簡単な説明】
【０００９】
【図１】実施の形態１に係る鍔付きナット仮締治具を例示する斜視図である。
【図２】実施の形態１に係るナット締付部を例示する斜視図である。
【図３】実施の形態１に係る鍔付きナット仮締治具の供給口を例示する模式図である。
【図４】実施の形態１に係る鍔付きナット仮締治具の供給口を例示する模式図である。
【図５】実施の形態１に係る鍔付きナット仮締治具の可動式押え板を例示する模式図である。
【図６】実施の形態１に係る鍔付きナット仮締治具の三角傾斜板と傾き修正ガイドとを例示する模式図である。
【図７】実施の形態１に係る鍔付きナット仮締治具の三角傾斜板と傾き修正ガイドと外方向倒し板とを例示する模式図である。
【図８】実施の形態１に係る鍔付きナット仮締治具の側面整流ガイドと中央整流ガイドとを例示する模式図である。
【図９Ａ】図８に示す部分Ｂの拡大図である。
【図９Ｂ】図９Ａの側面図である。
【図１０】実施の形態１に係るソケットを例示する模式図である。
【図１１】実施の形態１に係るソケットを例示する模式図である。
【図１２】実施の形態１に係るソケットを例示する模式図である。
【図１３】実施の形態１に係るソケットを例示する模式図である。
【図１４】実施の形態１に係るソケットを例示する模式図である。
【図１５】実施の形態１に係るソケットを例示する模式図である。
【図１６】実施の形態１に係る鍔付きナット仮締治具を例示する斜視図である。
【図１７】実施の形態１に係る鍔付きナット仮締治具を例示する斜視図である。
【図１８】実施の形態１に係るナット締付部を例示する斜視図である。
【図１９】実施の形態２に係るナット供給部を例示する模式図である。
【図２０】実施の形態２に係るナット供給部を例示する模式図である。
【図２１】実施の形態２に係るナット供給部を例示する模式図である。
【発明を実施するための形態】
【００１０】
以下、図面を参照して本発明の実施形態について説明する。各図面において、同一又は対応する要素には同一の符号が付されており、説明の明確化のため、必要に応じて重複説明を省略する。
【００１１】
［実施の形態１］
先ず、実施の形態１に係る鍔付きナット仮締治具の構成を説明する。
図１は、実施の形態１に係る鍔付きナット仮締治具を例示する斜視図である。
図２は、実施の形態１に係るナット締付部を例示する斜視図である。
【００１２】
図１に示すように、鍔付きナット仮締治具１０は、ナット供給部１１と、ナット締付部１２と、を備える。
【００１３】
ナット供給部１１は、鍔付きナットを供給する。ナット締付部１２は、複数の鍔付きナットをワーク（図示せず）に取付けて締付ける。
【００１４】
ナット供給部１１は、傾斜板１１１と、供給口１１２ｈと、中央整流ガイド１１３と、２つの側面整流ガイド１１４と、２つの三角傾斜板１１５と、外方向倒し板１１６と、傾き修正ガイド１１７と、可動式押え板１１８と、を有する。２つの側面整流ガイド１１４は、側面整流ガイド１１４ａと側面整流ガイド１１４ｂとを有する。２つの三角傾斜板１１５は、三角傾斜板１１５ａと三角傾斜板１１５ｂとを有する。
【００１５】
ナット供給部１１の傾斜板１１１は、水平面に対して傾斜して設けられる。これにより、鍔付きナットが供給位置１１１ｐまで流れる。供給口１１２ｈは、傾斜板１１１上の位置が高い方の一端部１１１ａに設けられる。
【００１６】
中央整流ガイド１１３は、傾斜板１１１上の供給口１１２ｈから最も遠い他端部１１１ｂに設けられる。２つの側面整流ガイド１１４は、傾斜板１１１上の両側に設けられる。
【００１７】
２つの三角傾斜板１１５は、２つの側面整流ガイド１１４と供給口１１２ｈとの間に設けられる。外方向倒し板１１６は、２つの三角傾斜板１１５と中央整流ガイド１１３との間に設けられる。
【００１８】
傾き修正ガイド１１７は、２つの三角傾斜板１１５の間に設けられる。可動式押え板１１８は、傾き修正ガイド１１７上に設けられる。
【００１９】
尚、鍔付きナットをフランジ付きナットと称することもある。
【００２０】
図２に示すように、ナット締付部１２は、主歯車１２ｍと第１歯車１２１と第１ソケット１２３と第２歯車１２２と第２ソケット１２４と、を有する。主歯車１２ｍは、主軸Ｍｐに対して、例えば反時計回りに回転する。主歯車１２ｍの下には、凸部１２８が設けられる。
【００２１】
第１歯車１２１は、主軸Ｍｐと平行な第１軸Ｍ１に設けられ、主歯車１２ｍに連動して回転する。第１ソケット１２３は、第１軸Ｍ１に設けられ、第１歯車１２１に連動して回転する。
【００２２】
第２歯車１２２は、主軸Ｍｐと平行な第２軸Ｍ２に設けられ、主歯車１２ｍに連動して回転する。第２ソケット１２４は、第２軸Ｍ２に設けられ、第２歯車１２２に連動して回転する。
【００２３】
尚、ナット締付部を多軸ナット仮締め工具と称することもある。
【００２４】
ナット供給部１１の詳細を説明する。
図３は、実施の形態１に係る鍔付きナット仮締治具の供給口を例示する模式図である。
図４は、実施の形態１に係る鍔付きナット仮締治具の供給口を例示する模式図である。
図５は、実施の形態１に係る鍔付きナット仮締治具の可動式押え板を例示する模式図である。
図６は、実施の形態１に係る鍔付きナット仮締治具の三角傾斜板と傾き修正ガイドとを例示する模式図である。
図７は、実施の形態１に係る鍔付きナット仮締治具の三角傾斜板と傾き修正ガイドと外方向倒し板とを例示する模式図である。
図８は、実施の形態１に係る鍔付きナット仮締治具の側面整流ガイドと中央整流ガイドとを例示する模式図である。
図９Ａは、図８に示す部分Ｂの拡大図である。
図９Ｂは、図９Ａの側面図である。
【００２５】
図３に示すように、ナット投入部１１２に傾斜を設け、Ｊ型のガイド１１２ａと三角板１１２ｂを設ける。ナット投入部１１２と三角板１１２ｂとで、２個同時に供給口１１２ｈに入ることを防止する。また、三角板１１２ｂの傾斜により、Ｊ型のガイド１１２ａに倣って鍔付きナットが流れることで、鍔付きナットがどんな姿勢でも供給口１１２ｈにスムーズに入る。
【００２６】
図４に示すように、供給口１１２ｈの一方の側壁には、鍔付きナットを傾けるためのＲ形状と溝を設け、他方の側壁には、傾斜を設ける。これにより、横向き鍔上側で流れた鍔付きナットを、引っ掛けることなく、縦向きにすることができる。
【００２７】
また、供給口１１２ｈの側壁間の距離Ｌ１は、鍔付きナットの鍔径Ｌ２よりも少し短くする。これにより、横向き鍔上側で流れた鍔付きナットを、引っ掛けることなく、縦向きにすることができる。
【００２８】
図５に示すように、鍔付きナットの出口に扇状の可動式押え板１１８を設ける。これにより、鍔付きナットの浮き上がりを抑え、傾き修正ガイド１１７に当てることで、鍔付きナットの姿勢を安定させる。
【００２９】
図６及び図７に示すように、鍔付きナットの出口に傾き修正ガイド１１７と垂直尾翼形状の外方向倒し板１１６と、三角傾斜板１１５を設ける。傾き修正ガイド１１７と外方向倒し板と三角傾斜板とにより、鍔付きナットの鍔側を下向きにすることができる。
【００３０】
図８に示すように、略三角形の形状をした中央整流ガイド１１３とその両側に側面整流ガイド１１４を設ける。これにより、鍔付きナットの鍔側の同方向が続いても、左右の供給位置１１１ｐに次回分が同数個づつ供給することができる。
【００３１】
図９Ａ及び図９Ｂに示すように、鍔付きナットの流れ方向に対してほぼ垂直に位置決めボルト１１９１を設ける。これにより、鍔付きナットの円弧の側面部位を、点で挟み込む様に受け止めるため、鍔付きナットの跳ね返りがなく位置が決まり易い。
【００３２】
また、位置決めボルト１１９１に対してほぼ垂直に鍔部がマグネット中心に掛からない様に打ち込んで、位置決めマグネット１１９２を設ける。これにより、鍔付きナットの浮き上がりや供給位置１１１ｐでの位置ズレを防止することができる。
【００３３】
ナット締付部１２の詳細を説明する。
図１０は、実施の形態１に係るソケットを例示する模式図である。
図１１は、実施の形態１に係るソケットを例示する模式図である。
図１２は、実施の形態１に係るソケットを例示する模式図である。
図１３は、実施の形態１に係るソケットを例示する模式図である。
図１４は、実施の形態１に係るソケットを例示する模式図である。
図１５は、実施の形態１に係るソケットを例示する模式図である。
図１６は、実施の形態１に係る鍔付きナット仮締治具を例示する斜視図である。
【００３４】
図１０に示すように、ナット締付部１２の第１ソケット１２３と第２ソケット１２４の形状は、入口にテーパ形状を設けた円筒状とし、その内径を鍔付きナットの六角形の外接円よりもやや大きくする。入口にテーパ形状を設けたことにより、ソケットの内径が鍔付きナットの外接円よりも大きいので、鍔付きナットがソケットに入り易くなる。
【００３５】
また、ソケットの内径から内側にはみ出すようにして、先端がテーパ形状の複数のテーパピン１２５を設ける。これにより、テーパピン１２５で鍔付きナットの六角形の部分を引掛けて回転させることができる。第１ソケット１２３と第２ソケット１２４とを、総称してソケットと称することもある。
【００３６】
図１１に示すように、中心の位置が、鍔付きナットの六角形の部分に対する外接円よりも外側であり、テーパピン１２５と重ならない位置に、２個のマグネット１２６を設ける。これにより、鍔付きナットがソケットの中心に着磁するので、ネジに掛かり易くなり、軽い力で仮締めすることができる。
【００３７】
図１２に示すように、２個のマグネット１２６を異極にしてソケットに設ける。これにより、ナット締付部１２の取り出し時に、後続の鍔付きナットが着磁してしまうのを防止することができる。
【００３８】
図１３に示すように、マグネット１２６の取付け穴１２６ｈを、ソケット上面から下方に向って端面まで、ソケット自身を突き抜けない様にして空ける。これにより、マグネット１２６がソケットから抜けることによるマグネット１２６の紛失や、ワーク（製品）へ付着することによる異物混入を防止することができる。
【００３９】
図１４に示すように、第１軸Ｍ１や第２軸Ｍ２等の回転軸の先端に、丸型形状又はテーパ形状であり、高さ調整を兼ねた非磁性体のカラー１２７を設置する。これにより、マグネットの磁界に影響を与えずガイドとしても安定した状態で、ソケットの中心に鍔付きナットを着磁させることができる。
【００４０】
図１５に示すように、テーパピン１２５と回転軸の出代を、仮締めが完了してソケットが空回りした時には、磁力も切れているように設定する。これにより、鍔付きナットの仮締め完了時に磁力を切るので、ナット締付部１２を軽い力で鍔付きナットから外せることができ、仮締め量も調整することができる。
【００４１】
また、ナット締付部１２の第１軸Ｍ１と第２軸Ｍ２は、歯車（ギア）による負荷を考慮し、垂直ではなく、やや斜めに設置する。これにより、第１軸Ｍ１と第２軸Ｍ２がギアの負荷により垂直になり、ネジと鍔付きナットのネジ山とが噛み合うようにすることができる。
【００４２】
図１６に示すように、ナット供給部１１の中央整流ガイド１１３にテーパ穴１１３ｈを設ける。また、ナット供給部１１の支え板１１９３にＹ型ガイド１１９３ｙを設ける。これにより、テーパ穴１１３ｈに中央ピン１２９の先端を入れると、凸部１２８がＹ型ガイド１１９３ｙに沿って移動する。そして、テーパ穴１１３ｈに中央ピン１２９の先端を入れ手放すだけで鍔付きナットがナット締付部１２にセットされる。
【００４３】
次に、鍔付きナット仮締治具１０の使用方法を説明する。
図１７は、実施の形態１に係る鍔付きナット仮締治具を例示する斜視図である。
図１８は、実施の形態１に係るナット締付部を例示する斜視図である。
【００４４】
図１６に示すように、鍔付きナットを供給口１１２ｈから供給する。鍔付きナットは、傾き修正ガイド１１７と三角傾斜板１１５と外方向倒し板１１６等を介して、中央整流ガイド１１３と側面整流ガイド１１４との間の供給位置１１１ｐに流れる。
【００４５】
次に、図１７に示すように、ナット締付部１２を持上げて、ナット締付部１２を取り出す。このとき、第１ソケット１２３と第２ソケット１２４のそれぞれには、鍔付きナットが供給されている。ナット締付部１２を取り出すことにより、次回分の鍔付きナットが供給位置１１１ｐに流れる。
【００４６】
次に、図１８に示すように、ナット締付部１２をワーク（製品）にセットし、主歯車１２ｍを対象方向に回して鍔付きナットをワークに仮締めする。このとき、第１ソケット１２３に供給された鍔付きナットと、第２ソケット１２４に供給された鍔付きナットとが同時に仮締めされる。
【００４７】
その後、ナット締付部１２をワークから離し、ナット締付部１２をナット供給部１１に戻す。
【００４８】
このようにして、本発明によれば、上下関係なく、供給された鍔付きナットを、供給位置まで鍔を常に下に向けで供給することができ、且つ、仮締めすることができる。その結果、複数の鍔付きナットを同時に仮締めすることが可能な仮締治具を提供することができる。
【００４９】
［実施の形態２］
図１９は、実施の形態２に係るナット供給部を例示する模式図である。
図２０は、実施の形態２に係るナット供給部を例示する模式図である。
図２１は、実施の形態２に係るナット供給部を例示する模式図である。
【００５０】
実施の形態２に係るナット供給部においては、図１９に示すように、鍔付きナットが供給される。そして、３個用のナット締付部（図示せず）を使用して、３個の鍔付きナット１５ａを取得し、３個の鍔付きナット１５ａをワークに仮締めする。
【００５１】
尚、鍔付きナット１５ａは、必要な位置に並んだナットである。また、鍔付きナット１５ｂは、鍔付きナット１５ａを必要な位置に並べるためのものであり、中間を埋める在庫ナットである。また、鍔付きナット１５ｃは、次回の供給に必要とされるナットである。
【００５２】
また、図２０に示すように鍔付きナットが供給された後、４個用のナット締付部（図示せず）を使用して、４個の鍔付きナット１５ａを取得し、４個の鍔付きナット１５ａをワークに仮締めしてもよい。
【００５３】
また、図２１に示すように鍔付きナットが供給された後、６個用のナット締付部（図示せず）を使用して、６個の鍔付きナット１５ａを取得し、６個の鍔付きナット１５ａをワークに仮締めしてもよい。
【００５４】
また、供給口１１２ｈから供給された鍔付きナットは、傾き修正ガイド１１７と三角傾斜板１１５と外方向倒し板１１６等を介して、中央整流ガイド１１３と側面整流ガイド１１４との間の供給位置１１１ｐに流れる（図１６参照）。そこで、複数の供給口を設け、複数の供給口から鍔付きナットを供給してもよい。すなわち、一方の供給口、傾き修正ガイド、三角傾斜板及び外方向倒し板１１６と、他方の供給口、傾き修正ガイド、三角傾斜板及び外方向倒し板１１６と、の間に仕切り板を設ける。このようにしても、在庫を減らし精度よく鍔付きナットを簡単に並べることができる。
【００５５】
尚、本開示は上記実施形態に限られたものではなく、趣旨を逸脱しない範囲で適宜変更することが可能である。
【符号の説明】
【００５６】
１０…鍔付きナット仮締治具  １１…ナット供給部  １１１…傾斜板  １１１ａ…一端部  １１１ｂ…他端部  １１１ｐ…供給位置  １１２…ナット投入部  １１２ａ…ガイド  １１２ｂ…三角板  １１２ｈ…供給口  １１３…中央整流ガイド  １１３ｈ…テーパ穴  １１４、１１４ａ、１１４ｂ…側面整流ガイド  １１５、１１５ａ、１１５ｂ…三角傾斜板  １１６…外方向倒し板  １１７…傾き修正ガイド  １１８…可動式押え板  １１９１…位置決めボルト  １１９２…位置決めマグネット  １１９３…支え板  １１９３ｙ…Ｙ型ガイド  １２…ナット締付部  １２ｍ…主歯車  １２１…第１歯車  １２２…第２歯車  １２３…第１ソケット  １２４…第２ソケット  １２５…テーパピン  １２６…マグネット  １２６ｈ…取付け穴  １２７…非磁性体のカラー  １２８…凸部  １２９…中央ピン  Ｍｐ…主軸  Ｍ１…第１軸  Ｍ２…第２軸  Ｌ１…距離  Ｌ２…鍔径
【図１】
2019188515.tif 000003
【図２】
2019188515.tif 000004
【図３】
2019188515.tif 000005
【図４】
2019188515.tif 000006
【図５】
2019188515.tif 000007
【図６】
2019188515.tif 000008
【図７】
2019188515.tif 000009
【図８】
2019188515.tif 000010
【図９Ａ】
2019188515.tif 000011
【図９Ｂ】
2019188515.tif 000012
【図１０】
2019188515.tif 000013
【図１１】
2019188515.tif 000014
【図１２】
2019188515.tif 000015
【図１３】
2019188515.tif 000016
【図１４】
2019188515.tif 000017
【図１５】
2019188515.tif 000018
【図１６】
2019188515.tif 000019
【図１７】
2019188515.tif 000020
【図１８】
2019188515.tif 000021
【図１９】
2019188515.tif 000022
【図２０】
2019188515.tif 000023
【図２１】
2019188515.tif 000024